(57)【要約】      （修正有）【課題】球面全体が発光する効果をもつ球型ＬＥＤ光源構造を提供する。【解決手段】半球体１０の開口部を嵌合させた球体構造１と、複数の可撓性発光素子２とによって構成する。各可撓性発光素子には複数のＬＥＤランプ２１が設けられる。可撓性発光素子２は、球体構造１に間隔を空けて設けられるとともに、電気的に接続される。ＬＥＤランプが発光する際、各ＬＥＤランプは相互に補完しあい、別のＬＥＤランプが照射できない部分を照射するため、球面全体が発光する効果を得られる。【選択図】図１
0003160123.tif 000002
【実用新案登録請求の範囲】
【請求項１】
球体構造と、複数のＬＥＤランプを具える複数の可撓性発光素子とによって構成する球型ＬＥＤ光源構造において、
各可撓性発光素子は、該球体構造の表面に間隔を空けて設けられるとともに、電気的に接続されることを特徴とする、球型ＬＥＤ光源構造。
【請求項２】
該球体構造内には駆動回路が設けられ、該駆動回路は該可撓性発光素子に電気的に接続され、各可撓性発光素子は可撓性回路基板を具え、該ＬＥＤランプは該可撓性回路基板に設けられることを特徴とする、請求項１に記載の球型ＬＥＤ光源構造。
【請求項３】
該球体構造は連結可能な二つの半球体によってなることを特徴とする、請求項１に記載の球型ＬＥＤ光源構造。
【請求項４】
延伸と収縮が可能な固定部材と、複数のＬＥＤランプを具える複数の可撓性発光素子とによって構成する球型ＬＥＤ光源構造において、
該可撓性発光素子は該固定部材に間隔を空けて設けられ、各可撓性発光素子の両端部は該固定部材の両端にそれぞれ固定され、該固定部材は複数の可撓性発光素子に被覆されることにより球体構造が構成され、また、複数の可撓性発光素子は電気的に接続されることを特徴とする、球型ＬＥＤ光源構造。
【請求項５】
該固定部材内には駆動回路が設けられ、該駆動回路は該可撓性発光素子に電気的に接続され、各可撓性発光素子はさらに可撓性回路基板を具え、該ＬＥＤランプは該可撓性回路基板に設けられることを特徴とする、請求項４に記載の球型ＬＥＤ光源構造。
【請求項６】
該球体構造内にさらに内球体構造が設けられ、該内球体構造は複数の内可撓性発光素子によってなり、各内可撓性発光素子は複数のＬＥＤランプを具え、
該内可撓性発光素子は該固定部材に間隔を空けて設けられ、各内可撓性発光素子の両端部は該固定部材の両端にそれぞれ固定され、該固定部材は複数の該内可撓性発光素子に被覆されることにより該内球体構造が構成され、また、該内可撓性発光素子は、該可撓性発光素子と該固定部材の間に配置されることを特徴とする、請求項４に記載の球型ＬＥＤ光源構造。
【請求項７】
該球型ＬＥＤ光源構造は少なくとも一つのベルトをさらに具え、該ベルトは、該球体構造或いは該内球体構造に選択的に設けることによって、該球体構造或いは該内球体構造はヒョウタン型構造を形成することを特徴とする、請求項６に記載の球型ＬＥＤ光源構造。
【考案の詳細な説明】
【技術分野】
【０００１】
本考案は、球面全体が発光する効果をもつ球型ＬＥＤ光源構造に関する。
【背景技術】
【０００２】
従来のタングステン電球は、電球のフィラメントにタングステンを使用している。タングステン電球においては、電気がタングステンフィラメントを通過すると、タングステンフィラメントが発熱し、球面全体が発光することにより、照明の効果を達成している。しかしながら、この種のタングステンフィラメントを発熱させる照明方式は、大量の電気が必要になり、省エネ・二酸化炭素削減が提唱される現代には合わなくなっている。
【０００３】
このため、新しい照明方式として、省エネと高輝度を実現したＬＥＤランプが開発されており、現在のＬＥＤランプはＬＥＤチップによって発光する。しかし、ＬＥＤチップは単一の方向にしか照射することができないため、チップの背後には照射されない。従って、ＬＥＤランプは半球面が発光する照明にしかならず、使用上の欠陥をかかえている。
【考案の概要】
【考案が解決しようとする課題】
【０００４】
本考案は、球面全体が発光する効果をもつ球型ＬＥＤ光源構造を提供することを目的とする。
【課題を解決するための手段】
【０００５】
本考案による球型ＬＥＤ光源構造は、球体構造と、複数の可撓性発光素子とによってなる。可撓性発光素子は球体構造に間隔を空けて設けられ、各可撓性発光素子は複数のＬＥＤランプを具え、複数の可撓性発光素子は電気的に接続される。
【０００６】
また、本考案による球型ＬＥＤ光源構造は、延伸と収縮が可能な固定部材と、複数の可撓性発光素子とによってなる。可撓性発光素子を固定部材に間隔を空けて設け、各可撓性発光素子の両端部を固定部材の両端にそれぞれ固定し、固定部材を複数の可撓性発光素子で被覆することで、球体構造が構成される。複数の可撓性発光素子は電気的に接続する。また、少なくとも一つのベルトを球体構造に設けることで、球体構造成をヒョウタン型構造にし、本考案の形状を多様に変化させる。
【図面の簡単な説明】
【０００７】
【図１】本考案の実施例１による球型ＬＥＤ光源構造の分解斜視図である。
【図２】本考案の実施例１による球型ＬＥＤ光源構造の外観を示した斜視図である。
【図３】本考案の実施例２による球型ＬＥＤ光源構造の分解斜視図である。
【図４】本考案の実施例２による球型ＬＥＤ光源構造の外観を示した斜視図である。
【図５】本考案の実施例３による球型ＬＥＤ光源構造の断面図である。
【図６】本考案の実施例４による球型ＬＥＤ光源構造の断面図である。
【図７】本考案の実施例５による球型ＬＥＤ光源構造の断面図である。
【考案を実施するための形態】
【０００８】
（実施例１）
図１と図２に示すように、本考案の実施例１による球型ＬＥＤ光源構造は、球体構造１と、複数の可撓性発光素子２とによって構成する。
【０００９】
球体構造１は連結可能な二つの半球体１０からなり、球体構造１内には駆動回路１１を設ける。
【００１０】
各可撓性発光素子２は、可撓性回路基板２０と、複数のＬＥＤランプ２１とからなる。ＬＥＤランプ２１を可撓性回路基板２０に設け、可撓性発光素子２を、球体構造１の表面に、球体構造１の曲面に沿いながら間隔を空けて設けることにより、球型ＬＥＤ光源構造が構成される。さらに、可撓性発光素子２は、駆動回路１１に電気的に接続する。
【００１１】
（実施例２）
図３と図４に示すように、本考案の実施例２による球型ＬＥＤ光源構造は、複数の可撓性発光素子２と、延伸と収縮が可能な固定部材３とによってなる。
【００１２】
可撓性発光素子２の構造は実施例１と同じであるため、各素子の符号と構成に関する記載は、ここでは省略する。、
【００１３】
固定部材３は複数の伸縮棒３０からなる中空体であり、それにより、固定部材３は延伸・収縮可能な特性をもつ。固定部材３内に駆動回路３１を設け、可撓性発光素子２を固定部材３に間隔を空けて設け、固定部材３を複数の可撓性発光素子２で被覆することにより、球体構造が構成される。なお、可撓性発光素子２の両端部は固定部材３の両端にそれぞれ固定し、可撓性発光素子２は駆動回路３１に電気的に接続する。
【００１４】
（実施例３）
図５に示すように、本考案の実施例３による球型ＬＥＤ光源構造は、本考案の実施例２を応用した実施例であり、実施例２と同様の球型ＬＥＤ光源構造の可撓性発光素子２に、さらにベルト４０を設ける。それにより、前述の球体構造はヒョウタン型構造になる。
【００１５】
（実施例４）
図６に示すように、本考案の実施例４による球型ＬＥＤ光源構造は、本考案の実施例２を応用した実施例であり、実施例２と同様の球体構造内に、さらに、複数の内可撓性発光素子５を設ける。
【００１６】
各内可撓性発光素子５は、内可撓性回路基板５０と複数のＬＥＤランプ５１とによってなる。ＬＥＤランプ５１を内可撓性回路基板５０に間隔を空けて設け、内可撓性発光素子５を固定部材３に間隔を空けて設け、複数の内可撓性発光素子５で固定部材３を被覆することにより、内球体構造が構成される。なお、内可撓性発光素子５は、可撓性発光素子２と固定部材３の間に配置する。
【００１７】
（実施例５）
図７に示すように、本考案の実施例５による球型ＬＥＤ光源構造においては、少なくとも一つのベルト４０を、本実施例の内可撓性発光素子５によって構成される内球体構造と、可撓性発光素子２によって構成される球体構造とにそれぞれ設けることにより、複数のヒョウタン型構造が構成される。
【００１８】
以上のように、本考案の球型ＬＥＤ光源構造の複数の実施例においては、複数のＬＥＤランプを球体構造に設けることで、球面全体を発光させる効果を達成する。
【００１９】
また、実施例２で記載した固定部材は延伸・収縮可能な特性を具えているため、球体構造を、楕円や円などの各種形状に変化させることができる。また、実施例３と実施例５に記載したベルトによって、内球体構造と球体構造に複数のヒョウタン型構造を形成させることができ、本考案を更に多様な形状に変化させることができる。
【符号の説明】
【００２０】
１    球体構造
１０  半球体
１１  駆動回路
２    可撓性発光素子
２０  可撓性回路基板
２１  ＬＥＤランプ
３    固定部材
３０  伸縮棒
３１  駆動回路
４０  ベルト
５    内可撓性発光素子
５０  内可撓性回路基板
５１  ＬＥＤランプ
【図１】
0003160123.tif 000003
【図２】
0003160123.tif 000004
【図３】
0003160123.tif 000005
【図４】
0003160123.tif 000006
【図５】
0003160123.tif 000007
【図６】
0003160123.tif 000008
【図７】
0003160123.tif 000009